(57)【要約】【目的】離れた位置からも点滅等する発光体に注目をさせ、防犯装置を携帯していることを認知せしめることにより、変質者らが近づこうとする前に、犯意を減じせしめる効果を狙うこと。【構成】本発明による携帯防犯装置は、電池と、ブザーと、緊急スイッチと、発光体と、振動センサを備え、前記発光体は、振動センサが作動することで周囲に視認可能に発光する。振動センサの作動をトリガとして、監視を開始監視回路によって、作動回数が一定時間に所定の回数を超えたときに発光する。【選択図】        図１
2006244261.tif 000002
【特許請求の範囲】
【請求項１】
電池と、ブザーと、緊急スイッチと、発光体と、振動センサを備えた防犯装置であって、前記発光体は、振動センサが作動することで周囲に視認可能に発光することを特徴とする携帯防犯装置。
【請求項２】
前記発光体は、振動センサの作動を監視する監視回路によって、作動回数が一定時間に所定の回数を超えたときに発光することを特徴とする請求項１に記載の携帯防犯装置。
【請求項３】
前記監視回路は、振動センサの作動をトリガとして監視を開始することを特徴とする請求項２に記載の携帯防犯装置。
【請求項４】
前記発光体は、タイマー回路で定めた一定時間発光することを特徴とする請求項１ないし請求項３に記載の携帯防犯装置。
【請求項５】
前記発光体は、点滅回路によって点滅することを特徴とする請求項４に記載の携帯防犯装置。
【請求項６】
緊急スイッチによってブザーと点滅回路が作動することを特徴とする請求項１ないし請求項３に記載の携帯防犯装置。
【請求項７】
前記発光体は、少なくとも電池とブザーを収納する筐体から分離して構成されたことを特徴とする請求項５に記載の携帯防犯装置。
【発明の詳細な説明】
【技術分野】
【０００１】
本発明は防犯装置、さらに詳しく言えば携帯していることを周囲に認知しやすくする機能を備えた携帯防犯装置に関する。
【背景技術】
【０００２】
【特許文献１】特開平０７−０１４４９４
【特許文献２】特開平０９−１４２３５０
【０００３】
電池とブザー駆動回路とブザーと緊急スイッチを筐体内に内蔵してポケットやハンドバックに入れて携帯して、緊急時に電源を緊急スイッチにより接続してブザーを鳴らす装置が知られている(特許文献１)。こうした装置では、緊急スイッチの操作を素早く行えるようストラップを付けて首からぶら下げて携帯したり、衣服やランドセルに固定して携帯できたりするものも普及している。しかし、上記ブザーは、携帯者が危険と感じた後において初めて有効になるが、危険を感じる前に未然に防ぐには不十分であった。一方、移動体に装着される、振動センサを備えた灯火装置が知られている(特許文献２)。
【発明の開示】
【発明が解決しようとする課題】
【０００４】
本発明は、防犯装置を携帯していることを周囲の通行者、特に変質者が近づこうとする前に認知させることにより、犯意を減じせしめる効果を狙うことを目的とする。
【課題を解決するための手段】
【０００５】
前記目的を達成するために、本発明は以下の構成を有する。請求項１に記載の携帯防犯装置は、電池と、ブザーと、緊急スイッチと、発光体と、振動センサを備えた防犯装置であって、前記発光体は、振動センサが作動することで周囲に視認可能に発光することを特徴とする。
請求項２に記載の携帯防犯装置は、請求項１に記載の携帯用防犯装置であって、前記発光体は、振動センサの作動を監視する監視回路によって、作動回数が一定時間に所定の回数を超えたときに発光することを特徴とする。
請求項３に記載の携帯防犯装置は、請求項２に記載の携帯用防犯装置であって、前記監視回路は、振動センサの作動をトリガとして監視を開始することを特徴とする。
請求項４に記載の携帯防犯装置は、請求項１ないし請求項３に記載の携帯用防犯装置であって、前記発光体は、タイマー回路で定めた一定時間発光することを特徴とする。  請求項５に記載の携帯防犯装置は、請求項４に記載の携帯用防犯装置であって、前記発光体は、点滅回路によって点滅することを特徴とする。
請求項６に記載の携帯防犯装置は、請求項１ないし請求項３に記載の携帯用防犯装置であって、緊急スイッチによってブザーと点滅回路が作動することを特徴とする。
請求項７に記載の携帯防犯装置は、請求項５に記載の携帯用防犯装置であって、前記発光体は、少なくとも電池とブザーを収納する筐体から分離して構成されたことを特徴とする。
【発明の効果】
【０００６】
本発明による携帯防犯装置は、離れた位置からも点滅する発光体に注目をさせ、防犯装置を携帯していることを認知せしめる。特に変質者が近づこうとする前に、犯意を減じせしめることが期待できる。
また、万一の緊急時には、ブザーの鳴動と発光体の点灯もしくは点滅が同時かつ連続的に行われるので、危険発生を伝えやすい。
さらに、監視回路によって、むやみに発光することを無くするので、教室内やオフィス内で授業や仕事に集中することや、就寝する際の入眠や睡眠を阻害しない。
【発明を実施するための最良の形態】
【０００７】
図１は本発明における携帯防犯装置の第１の実施形態で、筐体１にはブザー３のための開口１ａ、発光ダイオード５のための開口１ｂ、衣服やランドセルに装着のためのストラップ１０、クリップ１０ａが設けられている。図１では筐体１が箱状で、この一面にのみ発光ダイオード５のための開口１ｂを設けているが、複数方向から視認可能に配しても良い。また、発光ダイオード5を複数配することにより文字表示や画像表示を可能せしめ、例えば「防犯ブザー携帯中」という文字を表示させても良い。
【０００８】
図２は本発明における携帯防犯装置の第２の実施形態であって、筐体１から発光ダイオード５を分離して、ストラップ１０の端部に発光部１２として設けている。これにより比較的重量と大きさを伴う本体部分の筐体１と、軽く小さな発光部１２を別々に携帯可能としている。
【０００９】
図３は第１の実施形態における携帯防犯装置回路の概念図で、歩行時には電池２の電圧が、振動センサ６、監視回路７、タイマー回路８、点滅回路９に供給されて発光ダイオード５が点滅状態となる。緊急スイッチ片４ａ、４ｂは、ストラップ９の一端に設けた絶縁片９ｂにより回路は開いているのでブザー３は鳴動しない。緊急時にストラップ１０を引き抜くと、緊急スイッチ片４ａ、４ｂが弾性的に閉じることにより、ブザー３にも電池２の電圧が供給され点滅と鳴動の状態になる。
図４は第２の実施形態における携帯防犯装置回路の概念図で、発光ダイオード５は、ストラップ１０内に配した導線１１を介して点滅回路９と接続される。この導線１１は筐体１内に十分な長さを残しているので、緊急時にストラップ１０を引き抜いても点滅と鳴動の状態になる。
【００１０】
第１の実施形態においては、ストラップ１０のクリップ１０ａにより、例えばランドセルにぶらさげることができる。携帯者は、ひとたび歩行を開始すると振動センサ６が歩行を検出して作動し、監視回路７で定めた所定時間後に、電池２の電圧が発光ダイオード５に供給されて発光する。この発光は、筐体１の開口１ｂにより、外部に視認可能となる。  電池２の電圧は、監視回路７、タイマー回路８、点滅回路９を介して発光ダイオード５に供給されるので、タイマー回路８で定めた一定時間、点滅回路９により点滅状態になる。このため、例えば信号待ちなどで歩行を停止した場合にも点滅は継続されるが、登校後にランドセルを静置してから一定時間後は消灯するので授業の妨げにならない。授業中に何らかの力でランドセルが動かされたとしても、振動センサ６の作動回数が一定時間に所定の回数を超えるまでは監視回路７がダイオード５への電圧の供給を行わないので、授業の妨げにならない。監視回路７は、振動センサ６の作動をトリガとして監視を開始するので、電池の消耗を防ぐことができる。
例えば監視回路７の監視時間を５秒間、タイマー回路８の点滅時間を５分とすれば、登校時の信号待ちなどでは点滅を継続し、教室に入室して授業が始まる間に消灯し、授業中にランドセルに物や人がぶつかるようなことがあっても、むやみに点滅が開始することはない。
万一の緊急時には、携帯者がこの絶縁片１０ｂを引き抜くと、緊急スイッチ片４ａ、４ｂが閉じ、電池２の電圧はブザー３と点滅回路９に供給されるので、鳴動と発光ダイオード５の点滅状態が連続される。
【００１１】
また、第２の実施形態においては、比較的重量と大きさを伴う本体部分の筐体１をハンドバッグ内に収納し、軽く小さな発光部１２のみハンドバッグから露出させて使用することで、携帯状態の視認性を損なうことなく持ち運びを簡易にすることができる。
万一の緊急時にはストラップ１０と一体の発光部１２が露出しているので、発光部１２を握って引き抜く操作にも無理が無い。
【図面の簡単な説明】
【００１２】
【図１】本発明の第１の実施形態を示す外観図
【図２】本発明の第２の実施形態を示す外観図
【図３】本発明の第１の実施形態を示す回路の概念図
【図４】本発明の第２の実施形態を示す回路の概念図
【符号の説明】
【００１３】
１      筐体
１ａ    開口
１ｂ    開口
２      電池
３      ブザー
４ａ    緊急スイッチ片
４ｂ    緊急スイッチ片
５      発光ダイオード
６      振動センサ
７      監視回路
８      タイマー回路
９      点滅回路
１０    ストラップ
１０ａ  クリップ
１０ｂ  絶縁片
１１    導線
１２    発光部
１２ａ  開口
【図１】
2006244261.tif 000003
【図２】
2006244261.tif 000004
【図３】
2006244261.tif 000005
【図４】
2006244261.tif 000006